【手続補正書】
【提出日】平成20年10月14日(2008.10.14)
【手続補正１】
【補正対象書類名】特許請求の範囲
【補正対象項目名】請求項１
【補正方法】変更
【補正の内容】
【請求項１】
流体を密閉させるための流体容器において、
互いに重ね合わされ、あらかじめ定めた部分が互いに接着されることにより、ガイド通路、複数の流体収容部、ガイド通路と流体収容部間を連通する狭通路を形成するための、第１および第２の熱可塑性容器フィルムと、
あらかじめ定めた方向にのみ流体の移動をさせるために、そのガイド通路に形成されたチェックバルブと、
を有して構成し、流体が上記ガイド通路、チェックバルブ、狭通路を経由して流体収容部に導入されて、流体収容部を膨張させ、その流体収容部の膨張後に上記狭通路を密閉することを特徴とする流体容器。
【手続補正２】
【補正対象書類名】特許請求の範囲
【補正対象項目名】請求項２
【補正方法】変更
【補正の内容】
【請求項２】
上記狭通路は、締め付けロッドと受け部の対として柔軟な材料で形成された締め付け部材により密閉され、上記締め付け部材は、上記狭通路を受け部に位置合わせして締め付けロッドを受け部に押しつけることで、狭通路を受け部と締め付けロッドの間に締め付ける、請求項１に記載の流体容器。
【手続補正３】
【補正対象書類名】特許請求の範囲
【補正対象項目名】請求項３
【補正方法】変更
【補正の内容】
【請求項３】
上記締め付けロッドの外径は上記受け部の内径とほぼ同じかわずかに小さめであり、該受け部の開口部は締め付けロッドの外径よりわずかに小さめであり、該締め付けロッドが受け部に押し込まれたときに締め付けロッドをロックする、請求項２に記載の流体容器。
【手続補正４】
【補正対象書類名】特許請求の範囲
【補正対象項目名】請求項６
【補正方法】変更
【補正の内容】
【請求項６】
上記狭通路は、柔軟な材料で形成され２組の締め付けロッドと受け部の対により構成された締め付け部材により、密閉され、上記締め付け部材は、上記狭通路を受け部に位置合わせして締め付けロッドを受け部に押しつけることで、狭通路を受け部と締め付けロッドの間に締め付ける、請求項１に記載の流体容器。
【手続補正５】
【補正対象書類名】特許請求の範囲
【補正対象項目名】請求項７
【補正方法】変更
【補正の内容】
【請求項７】
各組の上記締め付けロッドと受け部において、締め付けロッドの外径は受け部の内径とほぼ同じかわずかに小さめであり、該受け部の開口は締め付けロッドの外径よりわずかに小さめであり、該締め付けロッドが受け部に押し込まれたとき締め付けロッドをロックする、請求項６に記載の流体容器。
【手続補正６】
【補正対象書類名】特許請求の範囲
【補正対象項目名】請求項９
【補正方法】変更
【補正の内容】
【請求項９】
上記狭通路はそれに熱を加えることにより密閉され、その狭通路を恒久的に封止する、請求項１に記載の流体容器。
【手続補正７】
【補正対象書類名】特許請求の範囲
【補正対象項目名】請求項１１
【補正方法】変更
【補正の内容】
【請求項１１】
流体を密閉させるための流体容器を製造する方法において、
互いに重ね合わされた第１と第２の熱可塑性容器フィルムを供給するステップと、
その第１と第２の熱可塑性容器フィルムのあらかじめ定めた部分を接着して、ガイド通路、複数の流体収容部、そのガイド通路と流体収容部を連通する狭通路を形成するステップと、
流体容器の開口部において、上記第１と第２の熱可塑性容器フィルムの間に、チェックバルブを形成するステップと、
そのガイド通路、チェックバルブ、および狭通路を経由して流体収容部に、流体を導入することにより複数の流体収容部を膨張させるステップと、
その流体収容部を膨張させた後に、上記狭通路を密閉させるステップと、により構成される流体容器製造方法。
【手続補正８】
【補正対象書類名】特許請求の範囲
【補正対象項目名】請求項１２
【補正方法】変更
【補正の内容】
【請求項１２】
上記狭通路を密閉するステップは、柔軟な材料で形成され締め付けロッドと受け部の対により構成された締め付け部材により、上記狭通路を密閉するステップを有し、上記締め付け部材は、上記狭通路を受け部に位置合わせして締め付けロッドを受け部に押しつけることで、狭通路を受け部と締め付けロッドの間に締め付ける、請求項１１に記載の流体容器製造方法。
【手続補正９】
【補正対象書類名】特許請求の範囲
【補正対象項目名】請求項１３
【補正方法】変更
【補正の内容】
【請求項１３】
上記締め付けロッドの外径は受け部の内径とほぼ同じかわずかに小さめであり、該受け部の開口部は締め付けロッドの外径よりわずかに小さめであり、該締め付けロッドが受け部に押し込まれたときに締め付けロッドをロックする、請求項１２に記載の流体容器製造方法。
【手続補正１０】
【補正対象書類名】特許請求の範囲
【補正対象項目名】請求項１６
【補正方法】変更
【補正の内容】
【請求項１６】
上記狭通路を密閉するステップは、柔軟な材料で形成され２組の締め付けロッドと受け部の対により構成された締め付け部材により、上記狭通路を密閉するステップを有し、上記締め付け部材は、上記狭通路を受け部に位置合わせして締め付けロッドを受け部に押しつけることで、狭通路を受け部と締め付けロッドの間に締め付ける、請求項１１に記載の流体容器製造方法。
【手続補正１１】
【補正対象書類名】特許請求の範囲
【補正対象項目名】請求項１７
【補正方法】変更
【補正の内容】
【請求項１７】
各組の上記締め付けロッドと受け部において、締め付けロッドの外径は受け部の内径とほぼ同じかわずかに小さめであり、該受け部の開口は締め付けロッドの外径よりわずかに小さめであり、該締め付けロッドが受け部に押し込まれたとき締め付けロッドをロックする、請求項１６に記載の流体容器製造方法。
【手続補正１２】
【補正対象書類名】特許請求の範囲
【補正対象項目名】請求項１９
【補正方法】変更
【補正の内容】
【請求項１９】
上記狭通路を密閉するステップは、その狭通路に熱を加えることにより密閉し、その狭通路を恒久的に封止する、請求項１１に記載の流体容器製造方法。
【手続補正１３】
【補正対象書類名】明細書
【補正対象項目名】００１５
【補正方法】変更
【補正の内容】
【００１５】
より具体的には、流体を密閉させるための本発明の流体容器は、
互いに重ね合わされ、あらかじめ定めた部分が互いに接着されることにより、ガイド通路、複数の流体収容部、ガイド通路と流体収容部間を連通する狭通路を形成するための、第１および第２の熱可塑性容器フィルムと、
あらかじめ定めた方向にのみ流体の移動をさせるために、そのガイド通路に形成されたチェックバルブと、
を有して構成し、流体が上記ガイド通路、チェックバルブ、狭通路を経由して流体収容部に導入されて、流体収容部を膨張させ、その流体収容部の膨張後に上記狭通路を密閉することを特徴とする流体容器である。
【手続補正１４】
【補正対象書類名】明細書
【補正対象項目名】００１６
【補正方法】変更
【補正の内容】
【００１６】
本発明の１の態様において、上記狭通路は、柔軟な材料で形成された締め付けロッドと受け部の対により構成された締め付け部材によって密閉され、その狭通路を受け部に位置合わせしてその締め付けロッドを受け部に押しつけることにより、該締め付け部材は、狭通路を受け部と締め付けロッドとの間で締め付けられる。上記締め付けロッドの外径は、受け部の内径とほぼ同一か小さめであり、該受け部の開口は、上記締め付けロッドの外径より少し小さめで、これにより該締め付けロッドが受け部に押されたときに締め付けロッドをロックする。
【手続補正１５】
【補正対象書類名】明細書
【補正対象項目名】００１７
【補正方法】変更
【補正の内容】
【００１７】
本発明の他の態様において、上記狭通路は、柔軟な材料で形成され２組の締め付けロッドと受け部の対により構成された締め付け部材により、密閉され、上記締め付け部材は、上記狭通路を受け部に位置合わせして締め付けロッドを受け部に押しつけることで、狭通路を受け部と締め付けロッドの間に締め付ける。各組の上記締め付けロッドと受け部において、締め付けロッドの外径は受け部の内径とほぼ同じかわずかに小さく、受け部の開口は締め付けロッドの外径よりわずかに小であり、その締め付けロッドが受け部に押し込まれたとき締め付けロッドをロックする。その締め付け部材は、２つの受け部の間に設けられた隆起部を有し、その隆起部は各受け部の内部突起と反対方向に突起しており、それにより締め付けロッドが対応する受け部に対して押されたときの上記狭通路の密閉効果を高める。
【手続補正１６】
【補正対象書類名】明細書
【補正対象項目名】００１８
【補正方法】変更
【補正の内容】
【００１８】
本発明の他の態様は、流体を密閉させるための流体容器を製造する方法である。本発明は、互いに重ね合わされた第１と第２の熱可塑性容器フィルムを供給するステップと、その第１と第２の熱可塑性容器フィルムのあらかじめ定めた部分を接着して、ガイド通路、複数の流体収容部、そのガイド通路と流体収容部を連通する狭通路を形成するステップと、流体容器の開口部において、上記第１と第２の熱可塑性容器フィルムの間に、チェックバルブを形成するステップと、そのガイド通路、チェックバルブ、および狭通路を経由して流体収容部に、流体を導入することにより複数の流体収容部を膨張させるステップと、その流体収容部を膨張させた後に、上記狭通路を密閉させるステップと、により構成される流体容器製造方法である。